(57)【特許請求の範囲】
【請求項１】
ごみを真空吸引して分離するサイクロンの下に設けられて真空下で作動するごみ排出用スクリュウフィーダであって、そのごみ収容部を、略V字形に傾斜した二つの側壁と前壁と後壁と側壁下端の底部で形成し、底部近くの前壁に押出し穴を設けて、これにスクリュウの前端を臨ませてなるごみ排出用スクリュウフィーダにおいて、
前壁と二つの側壁が交わる左右の隅角部を斜めのガイド板で覆い、押出し穴の入口の上部近傍を向く空気噴出口を、前記側壁の一方又は双方に設け、該空気噴出口に弁で開閉できる空気管を接続し、負圧のスクリュウフィーダ内部に外気を間欠的に噴出させ、前記左右の隅角部を覆う斜めのガイド板を、左右で大きさを異ならせて非対称としたことを特徴とする、ごみ排出用スクリュウフィーダ。
【発明の詳細な説明】
【０００１】
【発明の属する技術分野】
本発明は、家庭から廃棄されるごみを、サイクロンに真空収集して該サイクロン中で気流から分離し、サイクロンから落ちるごみを、別の貯留排出機に移すために使用するスクリュウフィーダに関する。
【０００２】
【従来の技術】
図５は、家庭ごみを収集する従来の装置を示し、ａはサイクロン、ｂはスクリュウフィーダ、ｃは貯留排出機で、サイクロンａは、真空輸送管ａ1 と負圧管ａ2 を有し、スクリュウフィーダｂは、ごみ収容部ｂ1 と押出し穴ｂ2 とモータＭで駆動されるスクリュウｂ3 を備える。サイクロンａからスクリュウフィーダｂのごみ収容部ｂ1 に落下するごみは、スクリュウｂ3 によって推力を受け、押出し穴ｂ2 から貯留排出機ｃに押出されるが、ごみの一部が前壁ｂ11から側壁ｂ12, ｂ13にわたって押出し穴ｂ2 の回りに押付けられてアーチ状に付着し、スクリュウｂ3 の前部上方を覆って、初期のブリッジｄが形成される。
【０００３】
この初期のブリッジｄが生成されると、これが契機となり、スクリュウｂ3 上部全体を覆うブリッジが急速に形成され、スクリュウｂ3 でごみを排出することができなくなる。このブリッジｄは、残飯、食品屑、紙などを主体としているが、一旦形成されると固くなり、鶴嘴で叩いても壊れないようになるので、ブリッジｄの小さいうちに処理する必要がある。１日のごみ処理量が５トンのスクリュウフィーダｂでは、数日に一度ブリッジが発生し、その度に除去作業をしなければならない。本出願人は、前記ブリッジの生成を抑制するものとして、前壁ｂ11と側壁ｂ12, ｂ13で形成される二つの隅角部ｂ14, ｂ15を、大きさが異なる傾斜した非対称のガイド板で覆う構成のものを先に提案した（特願平10-354928)。この構成によれば、押出し穴ｂ2 近傍でごみに加わる力が左右アンバランスになってごみが崩れ易くなり、前記ブリッジの生成は抑制されて１か月に２〜３度の除去作業で済むようになった。
【０００４】
【発明が解決しようとする課題】
本発明は、ブリッジの生成を更に抑制して除去回数を減らすことを課題とする。
【０００５】
【課題を解決するための手段】
前記課題を解決するための手段は、請求項１に記載したとおり、ごみを真空吸引して分離するサイクロンの下に設けられて真空下で作動するごみ排出用スクリュウフィーダであって、そのごみ収容部を、略V字形に傾斜した二つの側壁と前壁と後壁と側壁下端の底部で形成し、底部近くの前壁に押出し穴を設けて、これにスクリュウの前端を臨ませてなるごみ排出用スクリュウフィーダにおいて、前壁と二つの側壁が交わる左右の隅角部を斜めのガイド板で覆い、押出し穴の入口の上部近傍を向く空気噴出口を、前記側壁の一方又は双方に設け、該空気噴出口に弁で開閉できる空気管を接続し、負圧のスクリュウフィーダ内部に外気を間欠的に噴出させ、前記左右の隅角部を覆う斜めのガイド板を、左右で大きさを異ならせて非対称としたことを特徴とする。この手段によれば、負圧のスクリュウフィーダの内部に、空気噴出口から、大気圧の空気が勢いよく流入してくるため、非対称の上記ガイド板の作用で、ごみに加わる力がアンバランスになってブリッジができにくい上に、押出し穴の近くのブリッジを形成しやすいごみの中に空気が混合して、ごみが固まりにくく斜めのガイド板に沿って移動しやすくなるから、ブリッジが形成されにくい。
【０００８】
【発明の実施の形態】
以下、図面を参照して本発明の実施の形態を説明する。図１に示す住宅団地Ａにおいて、１は高層住宅、２は低層住宅であり、高層住宅１には、ごみの投入口３ａを有するダストシュート３が設置され、該ダストシュート３は貯留槽４を介して輸送管５に接続されている。低層住宅２の近くには地上投入口６があり、別の輸送管５に接続されている。両輸送管５，５は、切替器７に接続され、更にごみ分離装置８，８に接続されている。図中９は吸気口、１０，１１は点検口、１２は遮断弁である。
【０００９】
ごみ分離装置８は、サイクロン１３，スクリュウフィーダ１４，貯留排出機１５，バッグフィルタ１６と、真空源となる送風機１７を備えており、サイクロン１３は、負圧管１８でバッグフィルタ１６のバッグ部１６ａに接続され、バッグフィルタ１６の吸気部１６ｂは、負圧管１９で送風機１７に接続されている。前記バッグ部１６ａの下面には開閉弁２０が設けられ、該開閉弁２０に空気管２１が接続されている。空気管２１の上部には、外気入口２１ａをもつ外気弁２１ｂの出口側が接続され、該空気管２１の他端側は、空気噴出口２１ｃ（図２）としてスクリュウフィーダ１４内に開口し、該空気噴出口２１ｃは、後記するごみ収容部２２の押出し穴２７の入口の上部近傍を指向している。スクリュウフィーダ１４内は、サイクロン１３内と連通していて負圧であるから、開閉弁２０を閉じて外気弁２１ｂ開くと、空気噴出口２１ｃからスクリュウフィーダ１４内に外気が流入する。
【００１０】
この空気管２１は、バッグフィルタ１６のバッグを定期的に掃除するとき、バッグ部１６ａに落ちた塵をスクリュウフィーダ１４内に移送するために使用する塵移送管を利用したもので、スクリュウフィーダ１４内における該塵移送管の出口と流出方向を変更して押出し穴２７の入口の上部近傍に向けている。しかし、空気管２１は塵移送管とは別に設けてもよい。
【００１１】
スクリュウフィーダ１４は、図２〜４に示すように、ごみ収容部２２内にスクリュウ２３を設けたもので、ごみ収容部２２は、Ｖ字形の側壁２４ａ，２４ｂと底部２４ｃ及び前壁２５，後壁２６からなり、前壁２５に押出し穴２７が開口し、スクリュウ２３の前端がここに位置している。スクリュウ２３は、軸受２８ａ，２８ｂで支持されモータ２９とチェーン機構３０によって駆動される。なお、１４ａは、サイクロン１３との連結部である。
【００１２】
ごみ収容部２２内の前壁２５側の両隅部には、傾斜したガイド板３１，３２が溶接されており、該ガイド板３１，３２は、左右で大きさ又は傾斜が異なり非対称である。この構成は、前記先の出願に記載されたもので、これにより、押出し穴２７の上部を覆うブリッジｄが形成されにくくしている。なお、３１ａ，３２ａは、ガイド板の上部を塞ぐ斜面板である。
【００１３】
本発明は、該ブリッジｄの形成を更に少なくしたもので、その手段として、ごみ収容部２２の側壁２４ａに前記空気管２１を接続して空気噴出口２１ｃを形成し、且つ該空気噴出口２１ｃを押出し穴２７の入口の上部近傍に向けた構成を有する。そして、前記外気弁２１ｂを開放して、内部の負圧によって空気噴出口２１ｃから大気圧の外気を間欠的に噴出させ、ガイド板３１近傍において、ごみ相互間及びごみと壁面との間に空気を混合させて、ごみを移動し易い状態にして、押出し穴２７の近傍にごみが根付こうとするのを阻止する。これによりブリッジｄの形成が防止され、殆ど掃除をしなくても済むようになった。
【００１４】
この空気噴出によるブリッジ形成防止作用は、前記のガイド板３１，３２が、左右で大きさ又は傾斜が異なる非対称のものばかりでなく、ガイド板を設けない構造のものや、左右対称のガイド板を設ける構造のものにも生じるから、本発明は、これらの構造を有するものにも適用できる。また、空気噴出口２１ｃは、両側の側壁２４ａ，２４ｂに設けることができる。
【００１５】
【発明の効果】
以上の説明から明らかなとおり、請求項１の手段によれば、非対称のガイド板の作用で、ごみに加わる力がアンバランスになってブリッジができにくい上に、ごみ収容部の前壁の押出し穴の近くのブリッジを形成しやすいごみの中に空気が混合して、ごみが固まりにくく移動しやすくなるから、ごみは斜めのガイド板に沿ってスムーズに移動してブリッジが形成されにくく掃除回数が減少する効果がある。
【図面の簡単な説明】
【図１】  本発明を実施する設備の全体図
【図２】  本発明の実施の形態の要部の側面図
【図３】  図２の矢印III方向図
【図４】  同じく平面図
【図５】  従来装置の縦断面図
【符号の説明】
１３  サイクロン                        １４  スクリュウフィーダ
１５  貯留排出機                        １６  バッグフィルタ
２０  切替弁                            ２１  空気管
２１ｃ  空気噴出口                      ２２  ごみ収容部
２４ａ，２４ｂ  側壁                    ２５  前壁
２７  押出し口                          ３１，３２  ガイド板
【図１】
0004208355.tif 000002
【図２】
0004208355.tif 000003
【図３】
0004208355.tif 000004
【図４】
0004208355.tif 000005
【図５】
0004208355.tif 000006